(57)【要約】【課題】クレーンガーダの落下を防止することができる鉛直方向の揺れに対して強い天井クレーンを提供する。【解決手段】建屋壁面に設けられ、水平面上で円形の旋回用走行レール、旋回用走行レールに差し渡され、旋回用走行レールとは旋回用車輪により回転支持されているクレーンガーダ、クレーンガーダに設けられた縦走用走行レールに縦走用車輪により回転支持されている走行式巻き上げ機、クレーンガーダと交叉する方向に設けられ、その端部に設けた旋回用車輪により旋回用走行レールと回転支持されている梁とを含む。【選択図】図３
2012126482.tif 000002
【特許請求の範囲】
【請求項１】
建屋壁面に設けられ、水平面上で円形の旋回用走行レール、該旋回用走行レールに差し渡され、旋回用走行レールとは旋回用車輪により回転支持されているクレーンガーダ、該クレーンガーダに設けられた縦走用走行レールに縦走用車輪により回転支持されている走行式巻き上げ機、前記クレーンガーダと交叉する方向に設けられ、その端部に設けた旋回用車輪により前記旋回用走行レールと回転支持されている梁とを含む天井クレーン。
【請求項２】
請求項１記載の天井クレーンにおいて、
前記クレーンガーダは、差し渡し方向中央部が空間の枠体で構成されていることを特徴とする天井クレーン。
【請求項３】
請求項１記載の天井クレーンにおいて、
前記梁は、前記クレーンガーダの中央部から垂直に延び、前記走行レールと接地されていることを特徴とする天井クレーン。
【請求項４】
請求項１記載の天井クレーンにおいて、
前記梁は、前記クレーンガーダの両端部から、前記走行レールに向かって垂直に伸び、前記走行レールと接地されていることを特徴とする天井クレーン。
【請求項５】
請求項１記載の天井クレーンにおいて、
前記クレーンガーダの両端部は、円弧上の走行レールを広範囲に支持する構造であることを特徴とする天井クレーン。
【請求項６】
請求項１記載の天井クレーンにおいて、
前記走行レールは、高さ方向に傾斜を備え、傾斜部によりクレーンガーダ及び梁に設けられた旋回用車輪の脱輪を防止することを特徴とする天井クレーン。
【発明の詳細な説明】
【技術分野】
【０００１】
本発明は、天井クレーンに係り、特に円形面上に配置される天井クレーンに関する。
【背景技術】
【０００２】
円形面上に配置される天井クレーンとして、原子炉建屋の頂上部に配置される天井クレーンがある。
【０００３】
ここで、従来の原子炉建屋は、特許文献１に示されるように、円筒状に構成されており、その建屋内部には、球形の原子炉格納容器が据えつけられている。原子炉格納容器には、内部中央下部に原子炉圧力容器が備えられ、原子炉圧力容器のまわりには、原子炉遮へい壁がある。原子炉遮へい壁の外側の上半球部には、天井クレーンの一部であるクレーンガーダを支持するための円筒状の原子炉建屋天井構体の旋回用走行レールが設けられている。この円筒状の原子炉建屋天井構体の走行レールには相当な強度が要求される。
【０００４】
強度を考慮したクレーンガーダと円筒状の原子炉建屋天井構体の走行レールの配置関係については、特許文献２で提案されるものがある。
【０００５】
特許文献２に示される天井クレーンは、円筒状の原子炉建屋天井構体の走行レールを持つ。クレーンガーダは、円筒状の原子炉建屋天井構体の走行レール上に敷設されている。クレーンガーダの上には、走行式巻き上げ機がある。
【０００６】
特許文献２に示される天井クレーンは、走行式巻き上げ機が走行レール上に乗ることのみによって支持されている。
【先行技術文献】
【特許文献】
【０００７】
【特許文献１】特開昭５８−２１８６８９号公報
【特許文献２】特開平９−２７８３６３号公報
【発明の概要】
【発明が解決しようとする課題】
【０００８】
このように、従来の天井クレーンは、旋回用走行レールが円筒状の原子炉建屋天井構体が構成する水平円周面に沿って設置されており、クレーンガーダは水平円周面の直径を通る両端の２点間で支持されている。クレーンガーダには縦走用の走行レールが設けられており、この上を走行式巻き上げ機が荷を吊り上げて径方向に移動する。この旋回用走行レールと縦走用走行レールにより、走行式巻き上げ機は、水平円形面の任意の場所に位置することができる。
【０００９】
この従来の天井クレーンの構造によれば、クレーンガーダは水平円周面の直径を通る両端の２点間で支持されている。このため、大地震が発生した際に、天井クレーンに鉛直方向の力が作用して鉛直方向に大きな揺れが加わりその応答が大きくなると、クレーンガーダの中央部が大きく撓む。その勢いで走行式巻き上げ機が走行レールから浮き上がって脱輪し、走行式巻き上げ機が落下、及びクレーンガーダが落下してしまう恐れがある。
【００１０】
本発明においては、クレーンガーダの落下を防止することができる鉛直方向の揺れに対して強い天井クレーンを提供することを目的とする。
【課題を解決するための手段】
【００１１】
本発明は、建屋壁面に設けられ、水平面上で円形の旋回用走行レール、旋回用走行レールに差し渡され、旋回用走行レールとは旋回用車輪により回転支持されているクレーンガーダ、クレーンガーダに設けられた縦走用走行レールに縦走用車輪により回転支持されている走行式巻き上げ機、クレーンガーダと交叉する方向に設けられ、その端部に設けた旋回用車輪により旋回用走行レールと回転支持されている梁とを含む。
【００１２】
また、クレーンガーダは、差し渡し方向中央部が空間の枠体で構成されている。
【００１３】
また、梁は、クレーンガーダの中央部から垂直に延び、走行レールと接地されている。
【００１４】
また、梁は、クレーンガーダの両端部から、走行レールに向かって垂直に伸び、走行レールと接地されている。
【００１５】
また、クレーンガーダの両端部は、円弧上の走行レールを広範囲に支持する構造である。
【００１６】
また、走行レールは、高さ方向に傾斜を備え、傾斜部によりクレーンガーダ及び梁に設けられた旋回用車輪の脱輪を防止する。
【発明の効果】
【００１７】
本発明は、クレーンガーダの落下を防止することができる。
【図面の簡単な説明】
【００１８】
【図１】原子炉建屋上部の縦断面図。
【図２】原子炉建屋上部の斜視図。
【図３】天井クレーン全体構成を示す図。
【図４】旋回用走行レールとクレーンガーダと梁の位置関係の一例を示す図。
【図５】旋回用走行レールとクレーンガーダと梁の位置関係の一例を示す図。
【図６】旋回用走行レールとクレーンガーダと梁の位置関係の一例を示す図。
【図７】図１のＡ部を拡大表示した図。
【発明を実施するための形態】
【００１９】
以下、本発明の実施の形態を、図面を参照して説明する。
【実施例】
【００２０】
図２は、原子炉建屋上部の斜視図である。ここで、１が円筒状の原子炉建屋天井部１であり、２０が原子炉建屋本体である。Ｈは、原子炉建屋上部の水平断面であり、この平面上に天井クレーンが設置される。まず、原子炉建屋上部の壁面（円筒状の原子炉建屋天井構体１）を利用して、円形状に走行レール２を配置する。円形状の走行レール２は、旋回用走行レールである。
【００２１】
クレーンガーダ３は、円形状の走行レール２の２点間に差し渡されるが、通常は円形の中心を通る２点間に配置されるのがよい。クレーンガーダ３には、縦走用の走行レール７が設けられており、この上を走行式巻き上げ機４が荷を吊り上げて径方向に移動する。この旋回用走行レール２と縦走用走行レール７により、走行式巻き上げ機４は、水平円形面Ｈの任意の場所に位置することができる。なお、この例では旋回と縦走を行うので、水平円形面Ｈの任意の場所に位置するためには、３６０度旋回とするのであれば、走行式巻き上げ機４の縦走範囲は円形レール直径に対して半径の距離だけ移動できればよい。また図２において、梁５は、本発明により付加されたものであり、これについては後で説明する。
【００２２】
図１は原子炉建屋上部の縦断面図である。この図でＡの部分が、原子炉建屋上部の壁面（円筒状の原子炉建屋天井構体１）を利用して設けられた円形状の旋回用走行レール２と、旋回用走行レール上２に設けられた旋回用車輪２１との取り付け関係を示している。旋回用車輪２１は、クレーンガーダ３に取り付けられている。
【００２３】
図３は、天井クレーン全体構成を示す図である。ここでは、旋回用走行レール２と縦走用走行レール７とクレーンガーダ３と梁５と走行式巻き上げ機４の接続関係について説明する。まず、円形状の旋回用走行レール２上には、クレーンガーダ３に取り付けられた旋回用車輪２１が乗っている。図では、クレーンガーダ３の右側が図示表記されていないが、こちら側も旋回用走行レール２上に旋回用車輪２１が乗っている。
【００２４】
クレーンガーダ３は、枠体で構成され、中央部分が空間とされている。径方向の枠体の上部に縦走用の走行レール７が設けられており、この上に縦走用車輪２２を介して走行式巻き上げ機４が載置されている。クレーンガーダ３中央部分の空間は、巻き上げ機のワイヤなどを通すために設けられた空間である。
【００２５】
本発明では、さらにクレーンガーダ３の枠体に交叉して梁５を設けている。梁５もまたクレーンガーダ３と同様に、円形状の走行レール２の２点間に差し渡されて、旋回用車輪２３により、走行レール２上に回転可能に取り付けられる。クレーンガーダ３の枠体とこれに交叉する梁５は、溶接などにより互いに固定されている。
【００２６】
図４は、旋回用走行レール２とクレーンガーダ３と梁５の位置関係を上部から見た図であり、例えば円形の旋回用走行レール２が形成する円の中心を通る位置に、クレーンガーダ３と梁５を直行配置している。このように、一体構造のクレーンガーダ３と梁５は、旋回用走行レール２上に４点支持されている。
【００２７】
係る構造とすることにより、地震発生時には、鉛直方向の力が作用し、鉛直方向に大きな揺れが加わりその応答が大きくなると、クレーンガーダ３が大きく撓む。このとき、クレーンガーダ３と梁５は円筒状の原子炉建屋天井構体の走行レール２と４点で支持されていることにより安定し、従来のものより撓みが抑えられる。
【００２８】
またクレーンガーダ３と梁５、及び円筒状の原子炉建屋天井構体の走行レール２との支持点が４点有ることにより、一点に応力が集中することを防げる。このため、クレーンガーダ３や円筒状の原子炉建屋天井構体の走行レール２の剛性を極めて高いものにする必要がない。
【００２９】
そして、クレーンガーダ３が両輪とも脱輪したとしても、梁５により落下を防ぐことができる。また、梁５が脱輪したとしてもクレーンガーダ３により、落下を防ぐことができる。
【００３０】
図５は、本発明を実施する形態の他一例であって、梁６を旋回用走行レール２の形成する円形の中心を通る位置に直行配置するのではなく、クレーンガーダ３の端部側にそれぞれ直行配置することにより、６点での回転支持としている。なお、クレーンガーダ３と梁６が一体に固定されていることは図４の場合と同じである。
【００３１】
この実施例では、地震発生時には、鉛直方向の力が作用し、鉛直方向に大きな揺れが加わりその応答が大きくなると、クレーンガーダ３が大きく撓む。このとき、クレーンガーダ３と梁６は、円筒状の原子炉建屋天井構体の走行レール２との支持が６点あることにより安定し、従来のポーラクレーンよりも撓みが抑えられる。
【００３２】
また、クレーンガーダ３と梁６は、円筒状の原子炉建屋天井構体の走行レール２との支持点が６点有していることにより、一点に応力が集中することを防げる。ゆえに、クレーンガーダ３や円筒状の原子炉建屋天井構体の走行レール２の剛性を極めて高いものにする必要がない。
【００３３】
そして、クレーンガーダ３が両輪とも脱輪したとしても梁６により落下を防ぐことができる。梁６が脱輪したとしてもクレーンガーダ３により、落下を防ぐことができる。
【００３４】
図６は、本発明を実施する形態の他一例であって、クレーンガーダ３の両端部に、走行レール２を広範囲に支持する梁構造７を備える天井クレーンをあらわしたものである。梁構造７は、少なくてもａ１からａ４の４点で回転支持されている。なお、クレーンガーダ３と梁構造７が一体に固定されていることは図４の場合などと同じである。
【００３５】
係る構造によれば、地震発生時には、鉛直方向の力が作用し、鉛直方向に大きな揺れが加わりその応答が大きくなると、クレーンガーダ３が大きく撓む。このとき、クレーンガーダ３と、走行レール２を広範囲に支持する梁構造７は、円筒状の原子炉建屋天井構体の走行レール２と広範囲に接地され、安定する。このことから、従来のものより撓みが抑えられる。
【００３６】
クレーンガーダ３と、円弧上の円筒状の原子炉建屋天井構体の走行レールを広範囲に支持する構造７は、円筒状の原子炉建屋天井構体の走行レール２と広範囲に接地されることにから、支持点１点に応力が集中することを防げる。このことから、クレーンガーダ３や円筒状の原子炉建屋天井構体の走行レール２の剛性を極めて高いものにする必要がない。
【００３７】
そして、円弧上の円筒状の原子炉建屋天井構体の走行レールを広範囲に支持する構造７と、円筒状の原子炉建屋天井構体の走行レール２との支持面積が広範囲にある。地震時にクレーンガーダ３に浮き上がりが起きても、円弧上の円筒状の原子炉建屋天井構体の走行レールを広範囲に支持する構造７が支えになり、クレーンガーダ３の落下を防ぐことができる。
【００３８】
図７は、図１のＡ部分の走行レール２と、クレーンガーダ３との接地部分を拡大表示したものである。円筒状の原子炉建屋天井構体の走行レール２には、傾斜が付けられており、クレーンガーダ３が内側に脱輪することを防ぐ構造になっている。このように、簡単な構造で、地震発生時におけるクレーンガーダ３の落下を防止することができる。
【符号の説明】
【００３９】
１：円筒状の原子炉建屋天井部
２：円筒状の原子炉建屋天井構体の走行レール
３：クレーンガーダ
４：走行式巻き上げ機
５，６，７：梁
２１、２３：旋回用車輪
２２：縦走用車輪
【図１】
2012126482.tif 000003
【図２】
2012126482.tif 000004
【図３】
2012126482.tif 000005
【図４】
2012126482.tif 000006
【図５】
2012126482.tif 000007
【図６】
2012126482.tif 000008
【図７】
2012126482.tif 000009